【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ネットワークアブストラクションレイヤ（ＮＡＬ）単位からビットストリームのランダムアクセスポイント（ＲＡＰ）ピクチャのスライスを逆カプセル化することと、ここにおいて、前記ＮＡＬ単位は、前記ＲＡＰピクチャが瞬時デコーダリフレッシュ（ＩＤＲ）ピクチャであるのかどうかを示し、更に、前記ＲＡＰピクチャが、復号可能な先行ピクチャ（ＤＬＰ）である関連先行ピクチャを有することができるタイプのＲＡＰピクチャであるのかどうかを示すＮＡＬ単位タイプ値を含み、ここにおいて、各先行ピクチャが復号化順にランダムアクセスピクチャに追随し、出力順に前記ランダムアクセスピクチャに先行し、ここにおいて第１のＮＡＬ単位タイプ値である前記ＮＡＬ単位タイプ値は、関連するＤＬＰを有することができるＩＤＲピクチャであることを示し、第２のＮＡＬ単位タイプ値である前記ＮＡＬ単位タイプ値は、前記ＲＡＰピクチャが、関連するＤＬＰを有することができないＩＤＲピクチャであることを示す、
前記第１のＮＡＬ単位タイプ値である前記ＮＡＬ単位タイプ値に基づいて前記ＲＡＰピクチャが、関連するＤＬＰを有することができるＩＤＲピクチャであること、又は前記第２のＮＡＬ単位タイプ値である前記ＮＡＬ単位タイプ値に基づいて前記ＲＡＰピクチャが、関連するＤＬＰを有することができないＩＤＲピクチャであることを決定することと、
前記ＮＡＬ単位タイプ値に基づいて前記ＲＡＰピクチャと前記ＲＡＰピクチャに続く前記ビットストリームのビデオデータとを復号することと
を備える方法。
【請求項２】
後続のＮＡＬ単位について、前記後続のＮＡＬ単位が、サフィックス補足エンハンスメント情報（ＳＥＩ）メッセージを含むサフィックス補足エンハンスメント情報（ＳＥＩ）ＮＡＬ単位を備えることをＮＡＬ単位タイプ値が示すことを決定することと、ここにおいてサフィックスＳＥＩメッセージは、前記後続のＮＡＬ単位が復号順でアクセス単位ＡＵの最後のビデオコード化レイヤＶＣＬ，ＮＡＬ単位に後続し得ることを示し、
前記サフィックスＳＥＩメッセージのデータに基づいて前記サフィックスＳＥＩ  ＮＡＬ単位に続く前記ビットストリームのビデオデータを復号することと
を更に備える、請求項１に記載の方法。
【請求項３】
復号順で前記サフィックスＳＥＩ  ＮＡＬ単位より前にアクセス単位（ＡＵ）中にＶＣＬ  ＮＡＬ単位を少なくとも含む前記ＡＵから前記サフィックスＳＥＩ  ＮＡＬ単位を抽出することを更に備える、請求項２に記載の方法。
【請求項４】
前記サフィックスＳＥＩ  ＮＡＬ単位が、復号順で前記ＡＵ中のすべてのＶＣＬ  ＮＡＬ単位の後にくる、請求項３に記載の方法。
【請求項５】
ビデオデータを復号するための装置であって、
ネットワークアブストラクションレイヤ（ＮＡＬ）単位からビットストリームのランダムアクセスポイント（ＲＡＰ）ピクチャのスライスを逆カプセル化するための手段と、ここにおいて、前記ＮＡＬ単位は、前記ＲＡＰピクチャが瞬時デコーダリフレッシュ（ＩＤＲ）ピクチャであるのかどうかを示し、更に、前記ＲＡＰピクチャが、復号可能な先行ピクチャ（ＤＬＰ）である関連する先行ピクチャを有することができるタイプのＲＡＰピクチャであるのかどうかを示すＮＡＬ単位タイプ値を含み、ここにおいて、各先行ピクチャが復号化順にランダムアクセスピクチャに追随し、出力順に前記ランダムアクセスピクチャに先行し、ここにおいて第１のＮＡＬ単位タイプ値である前記ＮＡＬ単位タイプ値は、前記ＲＡＰピクチャが、関連するＤＬＰを有することができるＩＤＲピクチャであることを示し、第２のＮＡＬ単位タイプ値である前記ＮＡＬ単位タイプ値は、前記ＲＡＰピクチャが、関連するＤＬＰを有することができないＩＤＲピクチャであることを示し、
前記第１のＮＡＬ単位タイプ値である前記ＮＡＬ単位タイプ値に基づいて前記ＲＡＰピクチャが、関連する復号可能な先行ピクチャを有することができるＩＤＲピクチャであること、又は前記第２のＮＡＬ単位タイプ値である前記ＮＡＬ単位タイプ値に基づいて前記ＲＡＰピクチャが、関連する復号可能な先行ピクチャを有することができないＩＤＲピクチャであることを決定するための手段と、
前記ＮＡＬ単位タイプ値に基づいて前記ＲＡＰピクチャと前記ＲＡＰピクチャに続く前記ビットストリームのビデオデータとを復号するための手段と、
を備える装置。
【請求項６】
後続のＮＡＬ単位について、前記後続のＮＡＬ単位が、サフィックス補足エンハンスメント情報（ＳＥＩ）メッセージを含むサフィックスＳＥＩ  ＮＡＬ単位を備えることをＮＡＬ単位タイプ値が示すことを決定するための手段と、ここにおいて前記サフィックスＳＥＩメッセージは、前記後続のＮＡＬ単位が復号順にアクセス単位ＡＵの最後のビデオコード化レイヤＶＣＬ，ＮＡＬ単位に後続し得ることを示し、
前記サフィックスＳＥＩメッセージのデータに基づいて前記サフィックスＳＥＩ  ＮＡＬ単位に続く前記ビットストリームのビデオデータを復号するための手段と、
更に構成された、請求項５に記載の装置。
【請求項７】
復号順で前記サフィックスＳＥＩ  ＮＡＬ単位より前にアクセス単位（ＡＵ）中にＮＡＬ単位を少なくとも含む前記ＡＵから前記サフィックスＳＥＩ  ＮＡＬ単位を抽出するための手段を更に備える、請求項６に記載の装置。
【請求項８】
前記サフィックスＳＥＩ  ＮＡＬ単位が、復号順で前記ＡＵ中のすべてのＶＣＬ  ＮＡＬ単位の後にくる、請求項７に記載の装置。
【請求項９】
ビデオデータを含むビットストリームを生成する方法であって、
ランダムアクセスポイント（ＲＡＰ）ピクチャが、関連する復号可能な先行ピクチャを有することができる瞬時デコーダリフレッシュ（ＩＤＲ）ピクチャであるのか、又は関連する復号可能な先行ピクチャを有することができないＩＤＲピクチャであるのかを決定することと、ここにおいて各先行ピクチャは復号順にランダムアクセスピクチャに追随し、出力順に前記ランダムアクセスピクチャに先行し、
ネットワークアブストラクションレイヤ（ＮＡＬ）単位中に前記ＲＡＰピクチャのスライスをカプセル化することと、ここにおいて、前記ＮＡＬ単位が、ＮＡＬ単位タイプ値を含み、ここにおいて、前記ＮＡＬ単位タイプ値は、前記ＲＡＰピクチャが、関連する復号可能な先行ピクチャを有することができるＩＤＲピクチャであることに基づいて第１のＮＡＬ単位タイプ値に設定されるか、又は前記ＲＡＰピクチャが、関連する復号可能な先行ピクチャを有することができないＩＤＲピクチャであることに基づいて第２のＮＡＬ単位タイプ値に設定される、
前記ＮＡＬ単位を含むビットストリームを生成することと
を備える方法。
【請求項１０】
補足エンハンスメント情報（ＳＥＩ）メッセージがプレフィックスＳＥＩメッセージであるのか又はサフィックスＳＥＩメッセージであるのかを決定することと、ここにおいて、前記ＳＥＩメッセージが、ビデオデータの符号化されたスライスに関係するデータを含む、
ＳＥＩ  ＮＡＬ単位中に前記ＳＥＩメッセージをカプセル化することと、ここにおいて、前記ＳＥＩ  ＮＡＬ単位は、前記ＳＥＩ  ＮＡＬ単位がプレフィックスＳＥＩ  ＮＡＬ単位であるのか又はサフィックスＳＥＩ  ＮＡＬ単位であるのかと、前記ＳＥＩメッセージがプレフィックスＳＥＩメッセージであるのか又はサフィックスＳＥＩメッセージであるのかとを示すＮＡＬ単位タイプ値を含み、ここにおいて前記プレフィックスＳＥＩメッセージは、前記ＳＥＩ  ＮＡＬ単位が復号順にアクセス単位の最後のＶＣＬ  ＮＡＬ単位に後続し得ないことを示し、又は前記サフィックスＳＥＩメッセージが、前記ＮＡＬ単位が復号順にアクセス単位の前記最後のＶＣＬ  ＮＡＬ単位に後続し得ることを示し、  を更に備え、
前記ビットストリームを生成することが、前記ＳＥＩ  ＮＡＬ単位を含むように前記ビットストリームを生成することを更に備える、請求項９に記載の方法。
【請求項１１】
前記ビットストリームを生成することは、ＳＥＩ  ＮＡＬ単位がサフィックスＳＥＩ  ＮＡＬ単位であることを前記ＮＡＬ単位タイプ値が示すとき、前記ＳＥＩ  ＮＡＬ単位が、復号順でアクセス単位（ＡＵ）中の第１のビデオコード化レイヤ（ＶＣＬ）ＮＡＬ単位の後にくるように前記ＡＵ中に前記ＳＥＩ  ＮＡＬ単位をカプセル化することを備え、
前記ビットストリームを生成することは、前記ＳＥＩ  ＮＡＬ単位が前記サフィックスＳＥＩ  ＮＡＬ単位であることを前記ＮＡＬ単位タイプ値が示すとき、前記ＳＥＩ  ＮＡＬ単位が、更に、復号順で前記ＡＵ中の最後のＶＣＬ  ＮＡＬ単位の後にくるように前記ＡＵ中に前記ＳＥＩ  ＮＡＬ単位をカプセル化することを更に備える、請求項９に記載の方法。
【請求項１２】
ビデオデータを含むビットストリームを生成するための装置であって、
ランダムアクセスポイント（ＲＡＰ）ピクチャが、関連する復号可能な先行ピクチャを有することができる瞬時デコーダリフレッシュ（ＩＤＲ）ピクチャであるのか、又は関連する復号可能な先行ピクチャを有することができないＩＤＲピクチャであるのかを決定するための手段と、ここにおいて各先行ピクチャは復号順にランダムアクセスピクチャに追随し、出力順に前記ランダムアクセスピクチャに先行し、
ネットワークアブストラクションレイヤ（ＮＡＬ）単位中に前記ＲＡＰピクチャのスライスをカプセル化するための手段と、ここにおいて、前記ＮＡＬ単位が、ＮＡＬ単位タイプ値を含み、ここにおいて、前記ＮＡＬ単位タイプ値は、前記ＲＡＰピクチャが、関連する復号可能な先行ピクチャを有することができるＩＤＲピクチャであることに基づいて第１のＮＡＬ単位タイプ値に設定されるか、又は前記ＲＡＰピクチャが、関連する復号可能な先行ピクチャを有することができないＩＤＲピクチャであることに基づいて第２のＮＡＬ単位タイプ値に設定される、
前記ＮＡＬ単位を含むビットストリームを生成するための手段と、
を備える装置。
【請求項１３】
補足エンハンスメント情報（ＳＥＩ）メッセージがプレフィックスＳＥＩメッセージであるのか又はサフィックスＳＥＩメッセージであるのかを決定するための手段と、ここにおいて、前記ＳＥＩメッセージが、ビデオデータの符号化されたスライスに関係するデータを含む、
ＳＥＩ  ＮＡＬ単位中に前記ＳＥＩメッセージをカプセル化するための手段と、ここにおいて、前記ＳＥＩ  ＮＡＬ単位は、前記ＳＥＩ  ＮＡＬ単位がプレフィックスＳＥＩ  ＮＡＬ単位であるのか又はサフィックスＳＥＩ  ＮＡＬ単位であるのかと、前記ＳＥＩメッセージがプレフィックスＳＥＩメッセージであるのか又はサフィックスＳＥＩメッセージであるのかとを示すＮＡＬ単位タイプ値を含み、
前記ビットストリームを生成するための前記手段が前記ＳＥＩ  ＮＡＬ単位を含むように前記ビットストリームを生成するための手段を更に含む、請求項１２に記載の装置。
【請求項１４】
前記ビットストリームを生成するための前記手段は、前記ＳＥＩ  ＮＡＬ単位がサフィックスＳＥＩ  ＮＡＬ単位であることを前記ＮＡＬ単位タイプ値が示すとき、前記ＳＥＩ  ＮＡＬ単位が、復号順でアクセス単位（ＡＵ）中の第１のビデオコーディングレイヤ（ＶＣＬ）ＮＡＬ単位の後にくるように前記ＡＵ中に前記ＳＥＩ  ＮＡＬ単位をカプセル化するための手段を備え、
前記ビットストリームを生成するための前記手段は、前記ＳＥＩ  ＮＡＬ単位が前記サフィックスＳＥＩ  ＮＡＬ単位であることを前記ＮＡＬ単位タイプ値が示すとき、前記ＳＥＩ  ＮＡＬ単位が、更に、復号順で前記ＡＵ中の最後のＶＣＬ  ＮＡＬ単位の後にくるように前記ＡＵ中に前記ＳＥＩ  ＮＡＬ単位をカプセル化するための手段をされに備える、請求項１３に記載の装置。
【請求項１５】
実行されると、プロセッサに、請求項１〜４及び９〜１１のいずれか１項に記載の方法を実行させる、命令を記憶したコンピュータ可読記憶媒体。